(57)【要約】【課題】取り付け金具を手摺に簡単に取り付けすることができる手摺装置を提供する。【解決手段】手摺本体１の外周面に軸方向Ｚに沿うとともに開口部４，７側にガイドレール６を形成した溝部５を形成する。ガイドレール６に固定片１１を摺動自在に設け、取り付け金具２０に固定片１１が係合する係合受け部２４を形成する。係合受け部２４には固定片１１と対向して横向きに形成するとともに、その基端２５から先端２６に向けて傾斜部２７を溝部５の上面１０側に向けて形成する。固定片１１に溝部５の上面１０側に先端１７を向けた螺子体１６を螺合する。螺子体１６を螺入させて固定片１１を溝５内に固定するとともに、取り付け金具２０の係合受け部２４に固定片１１を圧入することにより、手摺本体１の適所に取り付け金具２０を簡単に固定させることができる。【選択図】　　　図１
2004003197.tif 000002
【特許請求の範囲】
【請求項１】
取り付け金具を介して手摺本体を固定する手摺装置において、前記手摺本体の外周面に軸方向に沿うとともに開口部側にガイドレールを形成した溝部を形成し、前記ガイドレールに固定片を摺動自在に設け、前記取り付け金具に前記固定片が係合する係合受け部を形成し、前記係合受け部には前記固定片と対向して横向きに形成するとともに、その基端から先端に向けて傾斜部を前記溝部の奥側に向けて形成し、かつ前記固定片に前記溝部の奥側に先端を向けた螺子体を螺合することを特徴とする手摺装置。
【請求項２】
取り付け金具を介して手摺本体を固定する手摺装置において、前記手摺本体の外周面に軸方向に沿うとともに開口部側にガイドレールを形成した溝部を形成し、前記ガイドレールに固定片を摺動自在に設け、前記取り付け金具に前記固定片が係合する係合受け部を形成し、前記固定片には前記係合受け部と対向して先端から基端に向けて傾斜部を前記溝部の奥側に向けて形成し、かつ前記固定片に前記溝部の奥側に先端を向けた螺子体を螺合することを特徴とする手摺装置。
【請求項３】
前記ガイドレールは前記開口部の左右にそれぞれ設けられ、前記固定片は前記左右一対のガイドレールに跨るように設けられ、前記螺子体の長さは前記溝の深さより大きいことを特徴とする請求項１または２記載の手摺装置。
【請求項４】
取り付け金具に係止受け部を設けると共に、前記係止受け部に係止可能な係止部を手摺本体に設けた手摺装置において、前記手摺本体の外周面に軸方向に沿うとともに開口部側にガイドレールを形成した溝部を形成し、前記ガイドレールに固定片を摺動自在に設け、前記固定片に前記溝部の奥側に先端を向けた螺子体を螺合し、前記固定片に前記係止部を設けたことを特徴とする手摺装置。
【請求項５】
前記固定片の先端側に前記溝部の奥側に向けて前記係止部を形成し、前記係止受け部に前記係止部のストッパーを設けたことを特徴とする請求項４記載の手摺装置。
【発明の詳細な説明】
【０００１】
【発明の属する技術分野】
本発明は、手摺を固定する手摺装置に関する。
【０００２】
【発明が解決しようとする課題】
従来、この種のものとして特開平９−２９１６７２号公報において、手摺の外周面に軸方向に沿う溝部を形成し、取り付け金具には壁面に取付固定される取付板を形成し、この取付板から横方向に突設する水平片を形成するとともに、その差込片の先端に前記取付板と前記手摺との間隔を保持する連結片を屈曲形成し、かつ、その連結片の先端に前記手摺の溝部に挿入して手摺を支持する差込片を前記水平片と同一方向に突設してこの水平片を前記取付板から横方向にずらした位置に形成したものが公知である。
【０００３】
このようなものは取り付け金具を予め手摺に組み込んだ後に取り付け現場に搬入して所定の場所に取り付けを行うものである。しかしながら、手摺の取り付けにおいては取り付け現場で取り付け金具を簡単に手摺に組み込んだりしなければならないときがある。このような場合に適用することができる手摺装置がさらに望まれている。
【０００４】
また、特開平１１−２２２９９６号公報において、手摺本体と取付け金具を着脱自在に設けた手摺装置が公知である。そして、この手摺装置では、前記取り付け金具にストッパーを設けると共に、前記ストッパーに係合可能なピン状の受け部を前記手摺本体に設け、ストッパーに受け部を係合することにより、着脱可能な手摺本体の抜け止めを行うことができるというものである。
【０００５】
しかしながら、このような手摺装置においては、前記ストッパーは、手摺本体に予め固定されていたので、取り付け現場で簡単に位置調整をして手摺本体を取り付け金具に取り付けることができないという問題があった。
【０００６】
そこで、本発明は前記要望に対応すべき取り付け金具を手摺に簡単に取り付けすることができる手摺装置を提供することを目的とする。また、本発明は取り付け金具にストッパーを設けると共に、前記ストッパーに係合可能な受け部を前記手摺本体に設けた手摺装置において、前記受け部の位置を自由に設定することができる手摺装置を提供することを目的とする。
【０００７】
【課題を解決するための手段】
請求項１の発明は、取り付け金具を介して手摺本体を固定する手摺装置において、前記手摺本体の外周面に軸方向に沿うとともに開口部側にガイドレールを形成した溝部を形成し、前記ガイドレールに固定片を摺動自在に設け、前記取り付け金具に前記固定片が係合する係合受け部を形成し、前記係合受け部には前記固定片と対向して横向きに形成するとともに、その基端から先端に向けて傾斜部を前記溝部の奥側に向けて形成し、かつ前記固定片に前記溝部の奥側に先端を向けた螺子体を螺合することを特徴とする手摺装置である。
【０００８】
この請求項１の構成によれば、前記固定片を前記溝部に摺動自在に嵌合しておき、そして前記取り付け金具の前記係合受け部に前記溝部を挿入する。そして、前記固定片を溝部に摺動して係合受け部に係合させる。この際に前記螺子体を螺入させることにより、該螺子体の先端を溝部の奥部に当接させて固定片を前記ガイドレールに押圧して固定片を溝に固定し、また固定片を傾斜部にやや圧入することにより、取り付け金具に手摺本体を固定する。
【０００９】
請求項２の発明は、取り付け金具を介して手摺本体を固定する手摺装置において、前記手摺本体の外周面に軸方向に沿うとともに開口部側にガイドレールを形成した溝部を形成し、前記ガイドレールに固定片を摺動自在に設け、前記取り付け金具に前記固定片が係合する係合受け部を形成し、前記固定片には前記係合受け部と対向して先端から基端に向けて傾斜部を前記溝部の奥側に向けて形成し、かつ前記固定片に前記溝部の奥側に先端を向けた螺子体を螺合することを特徴とする手摺装置である。
【００１０】
この請求項２の構成によれば、前記固定片を前記溝部に摺動自在に嵌合しておき、そして前記取り付け金具の前記係合受け部に前記溝部を挿入する。そして、前記固定片を溝部に摺動して係合受け部に係合させる。この際に前記螺子体を螺入させることにより、該螺子体の先端を溝部の奥部に当接させて固定片を前記ガイドレールに押圧して固定片を溝に固定し、また固定片の傾斜部を係合受け部にやや圧入することにより、取り付け金具に手摺本体を固定する。
【００１１】
請求項３の発明は、前記ガイドレールは前記開口部の左右にそれぞれ設けられ、前記固定片は前記左右一対のガイドレールに跨るように設けられ、前記螺子体の長さは前記溝の深さより大きいことを特徴とする請求項１または２記載の手摺装置である。
【００１２】
この請求項３の構成によれば、螺子体を固定片に螺合してその先端を溝部の奥に当接させて、固定片をガイドレールに押圧して固定する。
【００１３】
請求項４の発明は、取り付け金具に係止受け部を設けると共に、前記係止受け部に係止可能な係止部を手摺本体に設けた手摺装置において、前記手摺本体の外周面に軸方向に沿うとともに開口部側にガイドレールを形成した溝部を形成し、前記ガイドレールに固定片を摺動自在に設け、前記固定片に前記溝部の奥側に先端を向けた螺子体を螺合し、前記固定片に前記係止部を設けたことを特徴とする手摺装置である。
【００１４】
この請求項４の構成によれば、螺子体を捻じ込んでその先端を溝部の奥側に当接させて固定片をガイドレールに固定する。そして、固定片の係止部を取り付け金具の係止受け部に係止する。
【００１５】
請求項５の発明は、前記固定片の先端側に前記溝部の奥側に向けて前記係止部を形成し、前記係止受け部に前記係止部のストッパーを設けたことを特徴とする請求項４記載の手摺装置である。
【００１６】
この請求項５の構成によれば、前記溝部の奥側に向けた前記係止部を係止受け部に係止し、そしてストッパーにより係止部を係止する。
【００１７】
【発明の実施形態】
以下、本発明の実施形態を添付図を参照して説明する。図１及び図２は本発明の第１実施形態を示し、同図において、１は軸方向Ｚに長尺な手摺本体であり、アルミニウム製の型枠２とこの型枠２を覆う合成樹脂等のカバー３とからなり、実施形態では手摺本体１の端部１Ａ側はやや下向きに屈曲している。また、前記型枠２には軸方向Ｚと直交する一側面たる下部を開口部４とした断面ほぼコ字形の溝部５が形成され、この開口部４には該開口部４の中心に向けて左右一対のガイドレール６が横向きにしてやや突出して形成されている。また、前記カバー３の下部にも前記開口部４に連通して開口部７が形成されている。さらに、前記溝部５に固定片１１を摺動自在に嵌合する。前記固定片１１は、平面が矩形で薄い板状であって、前記左右一対のガイドレール６の上面を摺動可能に設けられており、固定片１１の軸方向Ｚにおける端面１２の上部、すなわち後述する係合受け部に対向する端面１２の上部はほぼ直角な角部に形成されている。この固定片１１の下面１３は前記左右一対のガイドレール６の上面を摺動するようになっているとともに、固定片１１の両側面１４は前記溝部５の左右側面９に沿って摺動するようになっており、さらに固定片１１の上面１５と溝部５の上面１０との間には隙間Ｌが形成され、該固定片１１はガイドレール６と上面１５との間に昇降自在に嵌合して設けられている。尚、前記固定片１１は手摺本体１の端部１Ａ側の端面より溝部５に挿入された後、所定の位置に移動させられるものである。
【００１８】
そして、固定片１１に直軸状の螺子体１６を設ける。この螺子体１６は前記軸方向Ｚに直交するように上下方向に進退するように固定片１１に設けた雌螺子１１Ｓに螺合しており、その先端１７は溝部の奥側たる前記上面１０に突き当たることができるようになっている。また、螺子体１６の基端には工具が係合する底面が正方形や正六角形などの孔などによって形成される工具係合部１８が形成されている。さらに、この螺子体１６の長さはガイドレール６と溝部５の上面１０との間の長さより大きく形成されて、前記工具孔１８を有する基端は常にガイドレール６とほぼ同一高さか、ガイドレール６の下方に突出しているようになっている。尚、実施形態では先端１７が上面１０に当接した状態で基端はほぼガイドレール６（開口部４）に位置している。また、固定片１１の端面１２と反対側の端面の近傍に前記螺子体１６を設けている。
【００１９】
前記手摺本体１を床Ｆ上に固定するための取り付け金具２０は、正面が矩形板状であって、その厚みは前記左右一対のガイドレール６相互間の間隔よりやや小さく形成されて、該ガイドレール６相互間に挿入するとともに軸方向Ｚに摺動できるようになっている。さらにこの取り付け金具２０は土台板２２上に立設した支柱２３の上端に上向きに設けられている。そして取り付け金具２０の先端２１側には前記固定片１１が係合する係合受け部２４を形成する。尚、前記先端２１は水平な前記上面１０に面接触するように水平面によって形成されている。前記係合受け部２４は前記固定片１１の端面１２と対向して横向き、すなわち軸方向Ｚに形成するとともに、その基端２５から前記固定片１１に向けられた先端２６に向けて傾斜部２７を、前記溝部５の奥側たる上面１０に向けて形成している。尚、前記係合受け部２４は取り付け金具２０の先端の側面にコ字状の凹部２８を形成し、その上部に前記係合受け部２４が形成される。この凹部２８の開口部の高さは前記固定片１１の厚みよりやや大きく形成されている。
【００２０】
尚、図中３１は螺子体１６を回動するための工具であり、前記工具孔１８に係合する平面が正方形や正六角形などの係合部３２が柄軸３３を介して握り部３４に設けられている。
【００２１】
次に前記構成についてその作用を説明する。予め支柱２３を設けた土台板２２は例えば床Ｆに固定されている。また固定片１１はガイドレール６上を摺動するように溝部５に嵌合している。そして、溝部５に前記係合受け部２４を挿入するように、取り付け金具２０に手摺本体１を上方から嵌合する。これにより取り付け金具２０の先端２１が溝部５の上面１０に突き当たる。次に螺子体１６の工具孔１８を有する基端に工具３１の係合部３２を挿入して握り部３４を握って柄軸３３を回動することにより、螺子体１６を捻じ込んで上面１０に先端１７を当てる。この結果、先端１７が上面１０に当たり螺子体１６によりガイドレール６に固定片１１が固定される。この螺子体１６を捻じ込むときに、柄軸３３に指を掛けて端面１２の上部を傾斜面２７側に押し当てるように圧入すると、傾斜部２７に沿って端面１２が案内されて該端面１２側がわずかに下方へ移動し、固定片１１の端面１２が下向きにしなるように弾性変形して、端面１２が傾斜面２７に圧接する。この結果固定片１１と取り付け金具２０は固定状態となる。このため、先端１７を上面１０に当てた螺子体１６によりガイドレール６固定片１１が固定され、この固定片１１の端面１２が傾斜部２７に圧入して係合することにより、取り付け金具２０の上端２１を上面１０に押圧し、取り付け金具２０に手摺本体１を固定することができる。
【００２２】
以上のように、前記実施形態では、取り付け金具２０を介して手摺本体１を固定する手摺装置において、前記手摺本体１の外周面に軸方向Ｚに沿うとともに開口部４，７側にガイドレール６を形成した溝部５を形成し、前記ガイドレール６に固定片１１を摺動自在に設け、前記取り付け金具２０に前記固定片１１が係合する係合受け部２４を形成し、前記係合受け部２４には前記固定片１１と対向して横向きに形成するとともに、その基端２５から先端２６に向けて傾斜部２７を前記溝部５の上面１０側に向けて形成し、かつ前記固定片１１に前記溝部５の上面１０側に先端１７を向けた螺子体１６を螺合することにより、前記固定片１１を前記溝部５に摺動自在に嵌合しておき、そして前記取り付け金具２０の前記係合受け部２４に前記溝部５を挿入する。そして、前記固定片１１を溝部５に摺動して係合受け部２４に係合させる。この際に前記螺子体１６を螺入させることにより、該螺子体１６の先端１７を溝部５の上面１０に当接させて固定片１１を前記ガイドレール６に押圧して固定片１１を溝５に固定し、また固定片５を傾斜部２７にやや圧入することにより、取り付け金具２０に手摺本体１１を固定する。これにより螺子体１６を螺入させて固定片１１を溝５内に固定するとともに、取り付け金具２０の係合受け部２４に固定片１１を圧入することにより、手摺本体１の適所に取り付け金具２０を簡単に固定させることができる。
【００２３】
また、前記ガイドレール６は前記開口部５の左右にそれぞれ設けられ、前記固定片１１は前記左右一対のガイドレール６に跨るように設けられ、前記螺子体１６の長さは前記溝５の深さより大きいことにより、螺子体１６を固定片１１に螺合してその先端１７を溝部５の上面１０に当接させて、固定片１１をガイドレール６に押圧して固定することによって、該固定片１１を介して手摺本体１を取り付け金具２０に確実に固定することができる。
【００２４】
さらに、前記実施形態では固定片１１において、その端面１２と反対側の端面の近傍に螺子体１６を設けたので、固定片１１を係合受け部２４に係合した状態では、固定片１１は螺子体１６側を中心として端面１２が自由端となるような片持ち状態となり、この結果固定片１１の片持ち長さを可及的に大きくでき、端面１２が下向きにしなるような弾性変形を確実に奏することができる。
【００２５】
次に図３〜図６に基づいて第２〜５実施形態について説明する。尚、前記第１実施形態と同一部分には同一符号を付し、その詳細な説明を省略する。第２実施形態においては、取り付け金具２０に固定片１１が係合する係合受け部２４Ａを先端２１のやや下方に固定片１１Ａに向けて水平な横向きに形成する。一方、固定片１１Ａには傾斜部１２Ａを前記溝部５の上面１１に向けて形成する。この傾斜部１２Ａは前記係合受け部２４Ａと対向する固定片１１Ａの先端１２Ｂから基端１２Ｃ側に沿って前記溝部５の上面１０側に向けて形成したものである。
【００２６】
したがって、前記固定片１１Ａを前記溝部５に摺動自在に嵌合しておき、そして前記取り付け金具２０を前記溝部５に挿入するようにセットする。そして、前記固定片１１を溝部５に摺動して係合受け部２４Ａに係合させる。この際に前記螺子体１６を螺入させることにより、該螺子体１６の先端１７を溝部５の上面１０に当接させて固定片１１を前記ガイドレール６に押圧して固定片１１を溝５に固定し、また固定片１１の傾斜部１２Ａを係合受け部２４Ａにやや圧入することにより、取り付け金具２０に手摺本体１を固定する。これにより螺子体１６を螺入させて固定片１１を溝５内に固定するとともに、取り付け金具２０の係合受け部２４Ａに固定片１１Ａを圧入することにより、手摺本体１の適所に取り付け金具２０を簡単に固定させることができる
第３実施形態は壁取付用の取り付け金具４１を示したものであり、正面がＬ字型の取り付け金具４１は壁取り付け板４２に固定されており、この取り付け金具４１の先端に第１実施形態と同様な係合受け部２４を形成したものである。また、第４実施形態では、壁取り付け板４２に水平方向の延長部材４３を介して正面がＬ字型の取り付け金具４１Ａを設けるとともに、その先端に係合受け部２４を設けたものである。このように第３、４実施形態においては壁取り付け板４２によって取り付け金具４１を壁（図示せず）に取り付けて手摺（図示せず）を取り付けるものである。第５実施形態では、取り付け金具５２の上端となる先端５３が傾斜しており、この先端５３のやや下方に係合受け部２４を形成したものである。このような第５実施形態では、第１実施形態における手摺本体１の傾斜した端部１Ａのような箇所に取り付け金具５２を取り付け、傾斜した溝の上面に先端５３を当接するようにしたものである。
【００２７】
次に図７、図８に基づいて第６実施形態について説明する。尚、前記第１実施形態と同一部分には同一符号を付し、その詳細な説明を省略する。第６実施形態においては、手摺本体１の型枠２には軸方向Ｚと直交する一側面たる下部を開口部４とした断面ほぼコ字形の溝部５が形成され、この開口部４には該開口部４の中心に向けて左右一対のガイドレール６が横向きにしてやや突出して形成されている。前記溝部５に固定片１１１を摺動自在に嵌合する。前記固定片１１１は、平面が矩形で薄い板状であって、前記左右一対のガイドレール６の上面を摺動可能に設けられており、固定片１１１の軸方向Ｚにおける端面１１２側はテーパ状に形成されている。すなわち固定片１１１の下面１１３は基部側から端面１１２側に向けて溝部５の奥側（上面１０）に向けてテーパ状に形成されている。この固定片１１１の下面１１３は前記左右一対のガイドレール６の上面を摺動するようになっているとともに、固定片１１１の両側面１１４は前記溝部５の左右側面９に沿って摺動するようになっており、さらに固定片１１１の上面１１５と溝部５の上面１０との間には隙間Ｌが形成され、該固定片１１１はガイドレール６と上面１５との間に昇降自在に嵌合して設けられている。尚、前記固定片１１１は手摺本体１の端部１Ａ側の端面より溝部５に挿入された後、所定の位置に移動させられるものである。そして、固定片１１１に直軸状の螺子体１１６を設ける。この螺子体１１６は前記軸方向Ｚに直交するように上下方向に進退するように螺合しており、その先端１１７は溝部の奥側たる前記上面１０に突き当たることができるようになっている。また、螺子体１１６の基端には工具が係合する底面が正方形などの孔などによって形成される工具係合部１１８が形成されている。さらに、この螺子体１１６の長さはガイドレール６と溝部５の上面１０との間の長さより大きく形成されて、前記工具孔１１８を有する基端は常にガイドレール６とほぼ同一高さか、ガイドレール６の下方に突出しているようになっている。尚、実施形態では先端１１７が上面１０に当接した状態で基端はほぼガイドレール６（開口部４）に位置している。さらに、前記固定片１１１の端面１１２側に前記軸方向Ｚと直交するように係止部１２１を上面１０に向けた貫通孔によって形成している。
【００２８】
前記手摺本体１を床Ｆ上に固定するための取り付け金具１２０は、上端に係止受け部１２１が着脱可能に係止可能な係止受け部１３１を設ける。この係止受け部１３１は取り付け金具１２０の上端に上方へ開口した凹部を形成して上方へ突設した二股状に設けられる。そして、この係止受け部１３１の上端開口部には該開口部を開閉するストッパー１３２を備えたものであり、該ストッパー１３２は二股状突起１３１Ａ，１３１Ｂにそれぞれ直線状に貫通して設けた案内孔１３３側から横向きにスライドして前記二股状突起１３１Ａ，１３１Ｂの上部間を閉じることにより係止部１２１を係止受け部１３１より抜け止めできるようになっている。さらにストッパー１３２の基端側に軸状の操作部１３４を縦向きに設ける。この操作部１３４の下部及び中間部に案内軸１３５，１３６を、案内孔１３３と平行な案内孔１３７，１３８に摺動可能に差込んで設ける。さらに案内軸１３５のやや膨出した先端１３５Ａは案内孔１３７を貫通すると共に、該先端１３５Ａと取り付け金具１２０の端面との間に該案内軸１３５に装着してロック機構を構成する弾性体たるコイルバネ１３９を設けている。したがって、操作部１３４をコイルバネ１３９に抗して押すことによりストッパー１３２は二股状突起１３１Ａ，１３１Ｂ間を開くことができ、一方操作部１３４を離すとストッパー１３２がコイルバネ１３９により付勢されて二股状突起１３１Ａ，１３１Ｂ間を閉じることができる。この際、案内軸１３５，１３６が案内孔１３７，１３８を摺動する。
【００２９】
次に前記構成についてその作用を説明する。固定片１１１はガイドレール６上を摺動するように溝部５に嵌合している。この際手摺本体１におけるやや下向きに屈曲している端部１Ａ側であっても、固定片１１１は遊嵌しているので、自由に固定片１１１を移動させることができる。そして、固定片１１１の所定位置において螺子体１１６の工具孔１８を有する基端に工具３１の係合部３２を挿入して握り部３４を握って柄軸３３を回動することにより、螺子体１１６を捻じ込んで上面１０に先端１１７を当てる。この結果、先端１１７が上面１０に当たり螺子体１１６によりガイドレール６に固定片１１１が固定される。
【００３０】
次に前記構成についてその作用を説明する。予め操作部１３４をコイルバネ１３９に抗して押すことによりストッパー１３２を操作し、二股状突起１３１Ａ，１３１Ｂの間を開口する。そして手摺本体に固定された固定片１１１の係止部１２１を係止受け部１３１、すなわち二股状突起１３１Ａ，１３１Ｂの間に挿入する。この後操作部１３４を放すとコイルバネ１３９により、ストッパー１３２が付勢され、この結果二股状突起１３１Ａ，１３１Ｂの上部間を閉じてストッパー１３２の抜け止めを行う。このように手摺本体１を取り付け金具１２０にセットした状態で、該手摺本体１に手をかけて体を支持することができる。
【００３１】
一方、手摺本体１を外すときには、前述のセットの操作とは逆に、まず操作部１３４を押してストッパー１３２をより抜き出し、そしてストッパー１３２を二股状突起１３１Ａ，１３１Ｂより抜き出して、手摺本体１を取り外すことができる。
【００３２】
以上のように前記実施形態では、取り付け金具１２０に係止受け部１３１を設けると共に、前記係止受け部１３１に係止可能な係止部１２１を手摺本体１に設けた手摺装置において、前記手摺本体１の外周面に軸方向に沿うとともに開口部４，７側にガイドレール６を形成した溝部５を形成し、前記ガイドレール６に固定片１１１を摺動自在に設け、前記固定片１１１に前記溝部６の上面１０側に先端１１７を向けた螺子体１１６を螺合し、前記固定片１１１に前記係止部１２１を設けたことにより、螺子体１１６を捻じ込んでその先端１１７を溝部５の上面１０側に当接させて固定片１１１をガイドレール６に固定する。そして、固定片１１１の係止部１２１を取り付け金具１２０の係止受け部１３１に係止することで、取り付け金具１２０に固定片１１１を介して手摺本体１を所定の位置に固定することができる。
【００３３】
また、前記固定片１１１の先端側に前記溝部５の上面１０側に向けて前記係止部１２１を形成し、前記係止受け部１３１に前記係止部１２１のストッパー１３２を設けたことにより、前記溝部５の上面１０側に向けた前記係止部１２１を係止受け部１３１に係止し、そしてストッパー１３２により係止部１２１の抜け止めを図ることができる。
【００３４】
しかも、固定片１１１の端面１１２側はテーパ状に形成されているので、屈曲している手摺本体１の端部１Ａ側のような箇所でも固定片１１１を容易に移動することができる。
【００３５】
尚、本発明は上記実施形態に限定されるものではなく、本発明の要旨の範囲内において、種々の変形実施が可能である。
【００３６】
【発明の効果】
請求項１の発明は、取り付け金具を介して手摺本体を固定する手摺装置において、前記手摺本体の外周面に軸方向に沿うとともに開口部側にガイドレールを形成した溝部を形成し、前記ガイドレールに固定片を摺動自在に設け、前記取り付け金具に前記固定片が係合する係合受け部を形成し、前記係合受け部には前記固定片と対向して横向きに形成するとともに、その基端から先端に向けて傾斜部を前記溝部の奥側に向けて形成し、かつ前記固定片に前記溝部の奥側に先端を向けた螺子体を螺合することを特徴とする手摺装置であり、前記螺子体を螺入させて固定片を溝内に固定するとともに、取り付け金具の係合受け部に固定片を圧入することにより、手摺本体の適所に取り付け金具を簡単に固定させることができる。
【００３７】
請求項２の発明は、取り付け金具を介して手摺本体を固定する手摺装置において、前記手摺本体の外周面に軸方向に沿うとともに開口部側にガイドレールを形成した溝部を形成し、前記ガイドレールに固定片を摺動自在に設け、前記取り付け金具に前記固定片が係合する係合受け部を形成し、前記固定片には前記係合受け部と対向して先端から基端に向けて傾斜部を前記溝部の奥側に向けて形成し、かつ前記固定片に前記溝部の奥側に先端を向けた螺子体を螺合することを特徴とする手摺装置であり、前記螺子体を螺入させて固定片を溝内に固定するとともに、取り付け金具の係合受け部に固定片を圧入することにより、手摺本体の適所に取り付け金具を簡単に固定させることができる。
【００３８】
請求項３の発明は、前記ガイドレールは前記開口部の左右にそれぞれ設けられ、前記固定片は前記左右一対のガイドレールに跨るように設けられ、前記螺子体の長さは前記溝の深さより大きいことを特徴とする請求項１または２記載の手摺装置であり、前記固定片を介して手摺本体を取り付け金具に確実に固定することができる。
【００３９】
請求項４の発明は、取り付け金具に係止受け部を設けると共に、前記係止受け部に係止可能な係止部を手摺本体に設けた手摺装置において、前記手摺本体の外周面に軸方向に沿うとともに開口部側にガイドレールを形成した溝部を形成し、前記ガイドレールに固定片を摺動自在に設け、前記固定片に前記溝部の奥側に先端を向けた螺子体を螺合し、前記固定片に前記係止部を設けたことを特徴とする手摺装置であり、固定した固定片の係止部を取り付け金具の係止受け部に係止することで、取り付け金具に固定片を介して手摺本体を所定の位置に固定することができる。
【００４０】
請求項５の発明は、前記固定片の先端側に前記溝部の奥側に向けて前記係止部を形成し、前記係止受け部に前記係止部のストッパーを設けたことを特徴とする請求項４記載の手摺装置であり、ストッパーにより係止部の抜け止めを図ることができる。
【図面の簡単な説明】
【図１】本発明の第１実施形態を示す軸方向の断面図である。
【図２】本発明の第１実施形態を示す軸方向と直交する方向の断面図である。
【図３】本発明の第２実施形態を示す軸方向の断面図である。
【図４】本発明の第３実施形態を示す斜視図である。
【図５】本発明の第４実施形態を示す斜視図である。
【図６】本発明の第５実施形態を示す正面図である。
【図７】本発明の第６実施形態を示す一部切り欠き正面図である。
【図８】本発明の第６実施形態を示す要部の分解斜視図である。
【符号の説明】
１　手摺本体
４，７　開口部
５　溝部
６　ガイドレール
１０　上面（奥側）
１１，１１Ａ　１１１　固定片
１２Ａ，２７　傾斜部
１６　螺子体
１７　１１７　先端
２０　１２０　取り付け金具
２４，２４Ａ係合受け部
２５　基端
２６　先端
１２１　係止部
１３１　係止受け部
１３２　ストッパー
Ｚ　軸方向
【図１】
2004003197.tif 000003
【図２】
2004003197.tif 000004
【図３】
2004003197.tif 000005
【図４】
2004003197.tif 000006
【図５】
2004003197.tif 000007
【図６】
2004003197.tif 000008
【図７】
2004003197.tif 000009
【図８】
2004003197.tif 000010